(57)【要約】      （修正有）【課題】画像形成装置を簡単に着脱できるとともに、横からの外力によって画像形成装置が斜めに浮き上がらないように固定することができる増設ユニットを提供する。【解決手段】増設ユニット１は、第１鉤部８１１が上面２１から上方に突出した第１回動位置と第１鉤部８１１が画像形成装置と係合する第２回動位置の間で回動可能な第１フック部８１と、第２鉤部８４１が上面２１から上方に突出した第３回動位置と第２鉤部８４１が画像形成装置と係合する第４回動位置の間で回動可能な第２フック部８４と、第１フック部８１と第２フック部８４とを連動して回動可能に連結する第１回動軸部８７と、第１フック部８１と一体に回動する第１ペダル部８２と、第２フック部８４と一体に回動する第２ペダル部８５と、第１ペダル部８２を上方向へ付勢する第１付勢部と、第２ペダル部８５を上方向へ付勢する第２付勢部とを備える。【選択図】図２
2018055032.tif 000002
【特許請求の範囲】
【請求項１】
筐体を有し、画像形成装置が前記筐体の上面に固定され、前記画像形成装置に供給する記録紙を格納する増設ユニットであって、
第１回動軸を中心に回動可能である第１鉤部を一端に有する第１フック部であって、前記第１フック部は前記第１鉤部が前記筐体の上面の第１位置から上方に突出した第１回動位置と前記第１鉤部が前記画像形成装置と係合する第２回動位置の間で回動可能な第１フック部と、
前記第１回動軸に対して平行又は同一軸である第２回動軸を中心に回動可能である第２鉤部を一端に有する第２フック部であって、前記第２フック部は前記第２鉤部が前記筐体の上面の前記第１位置と異なる第２位置から上方に突出した第３回動位置と前記第２鉤部が前記画像形成装置と係合する第４回動位置の間で回動可能な第２フック部と、
前記第１フック部と前記第２フック部とを連結し、前記第１フック部の回動に連動して前記第２フック部を回動、又は、前記第２フック部の回動に連動して前記第１フック部を回動させる、連結部と、
前記画像形成装置が当接する第１当接面を有し、前記第１当接面に重力方向に加わる力によって前記第１フック部が前記第１回動位置から前記第２回動位置に向かう方向に、前記第１フック部と一体に回動する第１ペダル部と、
前記画像形成装置が当接する第２当接面を有し、前記第２当接面に重力方向に加わる力によって前記第２フック部が前記第３回動位置から前記第４回動位置に向かう方向に、前記第２フック部と一体に回動する第２ペダル部と、
前記第１ペダル部を前記第２回動位置から前記第１回動位置へ向かって付勢する第１付勢部と、
前記第２ペダル部を前記第４回動位置から前記第３回動位置へ向かって付勢する第２付勢部と、
を備える増設ユニット。
【請求項２】
請求項１に記載の増設ユニットであって、
前記第１回動軸と前記第２回動軸とが同一軸であって、
前記連結部は、
前記第１フック部における前記第１回動軸の中心と前記第２フック部における前記第１回動軸の中心とを、前記第１回動軸に沿った第１方向に延出して連結し、
前記第１フック部と前記第２フック部とを一体に前記回動方向に回動可能に前記筐体に支持される回動軸部である、
増設ユニット。
【請求項３】
請求項１に記載の増設ユニットであって、
前記第２回動軸は前記第１回動軸に対して平行であって、
前記連結部は、
前記第１フック部の他端と前記第２フック部の他端とを連結するリンク部材である、
増設ユニット。
【請求項４】
請求項１に記載の増設ユニットであって、
前記第１回動軸と前記第２回動軸は、同一軸であって、
前記連結部は、回動軸部と第１リンク部材と第２リンク部材とを有し、
前記回動軸部は、
前記第１フック部における前記第１回動軸の中心と前記第２フック部における前記第１回動軸の中心とを、前記第１回動軸に沿った第１方向に延出して連結し、
前記第１フック部と前記第２フック部とを一体に前記回動方向に回動可能に前記筐体に支持され、
更に、
前記第１回動軸に対して平行である第３回動軸を中心に回動可能である第３鉤部を一端に有する第３フック部であって、前記第３フック部は前記第３鉤部が前記筐体の上面の前記第１位置及び前記第２位置と異なる第３位置から上方に突出した第５回動位置と前記第３鉤部が前記画像形成装置と係合する第６回動位置の間で回動可能な第３フック部と、
前記画像形成装置が当接する第３当接面を有し、前記第３当接面に重力方向に加わる力によって前記第３フック部が前記第５回動位置から前記第６回動位置に向かう方向に、前記第３フック部と一体に回動する第３ペダル部と、
前記第３ペダル部を前記第６回動位置から前記第５回動位置へ向かって付勢する第３付勢部と、
前記第３回動軸を中心に回動可能である第４鉤部を一端に有する第４フック部であって、前記第４フック部は前記第４鉤部が前記筐体の上面の前記第１位置、前記第２位置及び前記第３位置と異なる第４位置から上方に突出した第７回動位置と前記第４鉤部が前記画像形成装置と係合する第８回動位置の間で回動可能な第４フック部と、
前記画像形成装置が当接する第４当接面を有し、前記第４当接面に重力方向に加わる力によって前記第４フック部が前記第７回動位置から前記第８回動位置に向かう方向に、前記第４フック部と一体に回動する第４ペダル部と、
前記第４ペダル部を前記第８回動位置から前記第７回動位置へ向かって付勢する第４付勢部と、
を備え、
前記第１リンク部材は、
前記第１フック部の他端と前記第３フック部の他端とを連結し、前記第１フック部の回動に連動して前記第３フック部を回動、又は、前記第３フック部の回動に連動して前記第１フック部を回動させ、
前記第２リンク部材は、
前記第２フック部の他端と前記第４フック部の他端とを連結し、前記第２フック部の回動に連動して前記第４フック部を回動、又は、前記第４フック部の回動に連動して前記第２フック部を回動させる、
増設ユニット。
【請求項５】
請求項４に記載の増設ユニットであって、
前記第１リンク部材は、前記第１回動軸と前記第３回動軸に対して、それぞれ垂直な方向に延出して前記第１フック部の他端と前記第３フック部の他端とを連結し、
前記第２リンク部材は、前記第１回動軸と前記第３回動軸に対して、それぞれ垂直な方向に延出して前記第２フック部の他端と前記第４フック部の他端とを連結する、
増設ユニット。
【請求項６】
請求項１から請求項５の何れか一項に記載の増設ユニットであって、
前記各当接面は、
前記各鉤部が前記筐体の上面から上方に突出した前記各回動位置から前記各鉤部が前記画像形成装置と係合する前記各回動位置に向けて、前記各鉤部が前記筐体の上面から上方に突出した前記各回動位置にある前記各フック部から９０度未満の角度分、傾いた方向に、前記各回動軸から延出する、
増設ユニット。
【請求項７】
請求項１から請求項６の何れか一項に記載の増設ユニットであって、
前記各付勢部は、
前記各フック部の前記各鉤部が前記画像形成装置と係合する前記各回動位置にいる際、前記各ペダル部の前記各当接面が水平方向となるように、付勢する、
増設ユニット。
【請求項８】
請求項１から請求項７の何れか一項に記載の増設ユニットであって、
前記各ペダル部と前記各フック部とが一体成型品である、
増設ユニット。
【請求項９】
請求項１から請求項８の何れか一項に記載の増設ユニットの前記筐体の上面に固定される画像形成装置であって、
前記画像形成装置の底面に設けられた穴に、前記各フック部の一端がそれぞれ挿入可能であって、前記画像形成装置の底面が前記各ペダル部の前記各当接面とそれぞれ当接することによって前記画像形成装置の荷重が前記重力方向に加わり、前記穴の内側に設けられた縁部に前記各鉤部がそれぞれ係合する、
画像形成装置。
【請求項１０】
請求項４又は請求項５に記載の増設ユニットの前記筐体の上面に固定される画像形成装置であって、
前記画像形成装置の底面には前記穴が４つ設けられ、
前記画像形成装置の底面に設けられた各穴に、前記各フック部の一端がそれぞれ挿入可能であって、前記画像形成装置の底面が前記各ペダル部の前記各当接面とそれぞれ当接することによって前記画像形成装置の荷重が前記重力方向に加わり、前記各穴の内側に設けられた縁部に前記各鉤部がそれぞれ係合する、
画像形成装置。
【請求項１１】
請求項９又は請求項１０に記載の画像形成装置であって、
前記画像形成装置の底面における前記穴の近傍であって前記各ペダル部に当接する位置に、下方へ突出する脚部を備え、
前記各当接面と前記脚部とが当接する、画像形成装置。
【請求項１２】
請求項１１に記載の画像形成装置であって、
前記脚部の上下方向の長さが、
前記各フック部の前記各鉤部が前記画像形成装置と係合する前記各回動位置にいる際、前記各ペダル部の前記各当接面が水平方向となる前記各当接面の位置と、前記筐体の上面の位置との距離以上である、
画像形成装置。
【発明の詳細な説明】
【技術分野】
【０００１】
本発明は、画像形成装置が上面に固定され、画像形成装置に供給する記録紙を格納する増設ユニット及びその画像形成装置に関する。
【背景技術】
【０００２】
画像形成装置に供給する記録紙を格納する増設ユニットの上面にピン状部材を設け、一方、画像形成装置の底面に穴を設け、ピン状部材を穴に挿入することで増設ユニットの上面に画像形成装置を固定する構成が知られている（特許文献１参照）。
【０００３】
特許文献１の構成によれば、画像形成装置の上部に横からの外力が加わると、画像形成装置の片側が浮くことによって画像形成装置が傾き、浮き上がった側の穴の縁部がピン状部材に引っ掛かり画像形成装置の傾きが止められる。これにより、画像形成装置が増設ユニットから脱落することが抑制される。また、特許文献１の構成によれば、画像形成装置をピン状部材と穴とが干渉しないように真上に持ち上げることで、増設ユニットと容易に分離することができる。
【先行技術文献】
【特許文献】
【０００４】
【特許文献１】特開２０１１−５９１９９号公報
【発明の概要】
【発明が解決しようとする課題】
【０００５】
しかしながら、特許文献１のように増設ユニットと画像形成装置とをピン状部材と穴とで固定する構成では、画像形成装置の上部に横からの外力が加わり画像形成装置の片側が浮き上がった状態から外力がなくなると、画像形成装置は元の位置へ戻る際に浮き上がっていた部分が増設ユニットの上面と衝突し、衝撃が生じる。
【０００６】
このような衝突による衝撃は画像形成装置及び増設ユニットの故障の原因となるおそれがある。そのため、画像形成装置を増設ユニットに固定する構成としては、横からの外力によって画像形成装置が傾かない構成であることが望ましい。
【０００７】
一方で、上述したように画像形成装置を真上に持ち上げるなどの簡単な作業で、画像形成装置と増設ユニットが分離可能であることも求められている。また、逆に画像形成装置を真上から増設ユニットに載置するなどの簡単な作業で、画像形成装置を増設ユニットの上面に固定できることも求められている。
【０００８】
本発明は、画像形成装置を簡単に着脱できるとともに、横からの外力によって画像形成装置が斜めに浮き上がらないように固定することができる増設ユニットを提供することを目的とする。また、この増設ユニットに着脱可能な画像形成装置を提供することも目的とする。
【課題を解決するための手段】
【０００９】
本発明の増設ユニットは、筐体を有し、画像形成装置が前記筐体の上面に固定され、前記画像形成装置に供給する記録紙を格納する増設ユニットであって、第１回動軸を中心に回動可能である第１鉤部を一端に有する第１フック部であって、前記第１フック部は前記第１鉤部が前記筐体の上面の第１位置から上方に突出した第１回動位置と前記第１鉤部が前記画像形成装置と係合する第２回動位置の間で回動可能な第１フック部と、前記第１回動軸に対して平行又は同一軸である第２回動軸を中心に回動可能である第２鉤部を一端に有する第２フック部であって、前記第２フック部は前記第２鉤部が前記筐体の上面の前記第１位置と異なる第２位置から上方に突出した第３回動位置と前記第２鉤部が前記画像形成装置と係合する第４回動位置の間で回動可能な第２フック部と、前記第１フック部と前記第２フック部とを連結し、前記第１フック部の回動に連動して前記第２フック部を回動、又は、前記第２フック部の回動に連動して前記第１フック部を回動させる、連結部と、前記画像形成装置が当接する第１当接面を有し、前記第１当接面に重力方向に加わる力によって前記第１フック部が前記第１回動位置から前記第２回動位置に向かう方向に、前記第１フック部と一体に回動する第１ペダル部と、前記画像形成装置が当接する第２当接面を有し、前記第２当接面に重力方向に加わる力によって前記第２フック部が前記第３回動位置から前記第４回動位置に向かう方向に、前記第２フック部と一体に回動する第２ペダル部と、前記第１ペダル部を前記第２回動位置から前記第１回動位置へ向かって付勢する第１付勢部と、前記第２ペダル部を前記第４回動位置から前記第３回動位置へ向かって付勢する第２付勢部と、を備える。
【００１０】
上記の構成によれば、画像形成装置を増設ユニットの上面に対して上げ下げするだけで各フック部が回動し、画像形成装置を増設ユニットの上面に載置すると、各鉤部が画像形成装置に係合する。
【発明の効果】
【００１１】
本発明によれば、画像形成装置を増設ユニットの上面に対して上げ下げするだけで各フック部が回動するので、増設ユニットに対して画像形成装置を簡単に着脱できる。また、画像形成装置に横からの外力が加わって画像形成装置が斜めに浮き上がろうとしても、何れかのペダル部が押し下げられたままであれば、連結部によって各フック部が連結されているので、全ての鉤部は係合状態を維持する。よって、画像形成装置は斜めに浮き上がらない。このように、横からの外力によって画像形成装置が斜めに浮き上がらないように増設ユニット上に固定される。
【図面の簡単な説明】
【００１２】
【図１】一実施形態の増設ユニットの正面図である。
【図２】一実施形態の増設ユニットの平面図である。
【図３】一実施形態の画像形成装置の底面図である。
【図４】増設ユニット側の着脱機構を示す斜視図である。
【図５】着脱機構周辺の増設ユニット及び画像形成装置の部分側断面図である。
【図６】着脱機構周辺の増設ユニット及び画像形成装置の部分側断面図である。
【図７】着脱機構周辺の増設ユニット及び画像形成装置の部分側断面図である。
【発明を実施するための形態】
【００１３】
［増設ユニット及び画像形成装置の全体構成］
図１は一実施形態の増設ユニットの正面図、図２は一実施形態の増設ユニットの平面図である。以下の説明では、図１及び図２に示すように増設ユニットが使用可能に設置された状態を基準とし、前後、左右、上下の各方向を定める。
【００１４】
増設ユニット１は、その上面２１に画像形成装置５を着脱可能に固定でき、画像形成装置５に供給する用紙（記録紙）を格納するものである。増設ユニット１は給紙カセット３から画像形成装置５へ用紙を搬送することで、供給する。
【００１５】
増設ユニット１は、筐体２と、給紙カセット３と、台座部４とを備えている。筐体２は略直方体形状の外観を有し、ほぼ平坦な上面２１に画像形成装置５を固定する。筐体２には前面から挿抜可能な給紙カセット３が収容されている。給紙カセット３は、複数枚の用紙を格納する箱体であり、本実施形態では上下方向に４段備えられている。台座部４は、筐体２の底面を支持する台４１と、台４１の底面の四隅を支持して設置面に設置される４つの脚４２とを備えている。
【００１６】
図２に示すように、増設ユニット１の上面２１には四隅に形成された穴の位置に、上方へ突出した回動可能な第１フック部８１と、第２フック部８４と、第３フック部８８と、第４フック部９２とが設けられている。各フック部８１、８４、８８、９２は後述する着脱機構８の一部であり、画像形成装置５を固定するための部材である。各フック部８１、８４、８８、９２の上端にはそれぞれ鉤部８１１、８４１、８８１、９２１が形成されている。
【００１７】
画像形成装置５は図１に仮想線で示す位置に配置される。画像形成装置５は、用紙に画像を形成するものであり、増設ユニット１の上面２１に着脱可能に固定される。画像形成装置５は、略直方体形状の外観を有する筐体６を備えている。筐体６には、用紙を収容する給紙カセット７と、給紙カセット７又は増設ユニット１から供給される用紙を搬送する搬送機構と、搬送機構によって搬送されてきた用紙に画像を形成する画像形成部（図示せず）と、画像形成部から筐体６外へ用紙を搬送する排紙機構（図示せず）とが収容されている。画像形成部の構成には特に限定はなく、電子写真方式、インクジェット方式、サーマルヘッド方式などの構成を用いることができる。
【００１８】
［着脱機構の構成］
増設ユニット１と画像形成装置５とを着脱可能に固定する構成として、着脱機構８が設けられている。着脱機構８は、画像形成装置５の底面６１に設けられる部材と、増設ユニット１の上面２１に設けられる部材とで構成される。
【００１９】
＜画像形成装置側の構成＞
まず、着脱機構８の画像形成装置５側の構成について説明する。図３は画像形成装置５の底面図である。画像形成装置５の底面６１は略矩形の平坦な板状部材で構成されている。底面６１は、四隅にそれぞれ穴６２と脚部６３とを有している。
【００２０】
穴６２は底面６１を貫通する穴であり、増設ユニット１の各フック部８１、８４、８８、９２（図２参照）に対向する位置に、各フック部８１、８４、８８、９２が挿入可能な大きさに形成されている。本実施形態において穴６２は、前後方向を長辺とする矩形形状に形成されている。なお、穴６２はその内側の縁部６２ａ（図７参照）に各フック部８１、８４、８８、９２の各鉤部８１１、８４１、８８１、９２１が係合可能であればよく、その大きさ及び形状には特に限定はない。例えば、左右方向に並んだ２つの穴６２を繋げて、左右に延びる１つの長穴としてもよい。
【００２１】
脚部６３は画像形成装置５を設置する際に筐体６を支持する部材であり、底面６１から下方へ突出している。本実施形態において脚部６３は、円錐台形状の部材である。脚部６３は、穴６２の近傍の穴６２と重ならない位置であって、画像形成装置５を増設ユニット１に固定する際に、増設ユニット１の各ペダル部８２、８５、８９、９３に当接する位置に設けられている。脚部６３には、画像形成装置５が増設ユニット１に固定される際に各ペダル部８２、８５、８９、９３を押し下げて各フック部８１、８４、８８、９２を回動させる役割がある。なお、脚部６３は必ずしも必要ではなく、脚部６３を設けない場合には、底面６１が各ペダル部８２、８５、８９、９３を押し下げる構成とすることができる。
【００２２】
＜増設ユニット側の構成＞
次に、着脱機構８の増設ユニット１側の構成について詳細に説明する。図４は増設ユニット１側の着脱機構８を示す斜視図である。図４は増設ユニット１上に画像形成装置５が配置されていない場合の着脱機構８の状態を示している。図５から図７は着脱機構８周辺の増設ユニット１及び画像形成装置５の部分側断面図である。図５は増設ユニット１と画像形成装置５が離間した状態、図６は増設ユニット１に画像形成装置５が当接し始めた状態、図７は増設ユニット１に画像形成装置５が固定されている状態を示している。
【００２３】
図４に示すように、増設ユニット１側の着脱機構８は、第１フック部８１と、第１ペダル部８２と、第１付勢部８３と、第２フック部８４と、第２ペダル部８５と、第２付勢部８６と、連結部の一例である第１回動軸部８７とを備えている。
【００２４】
（第１フック部）
第１フック部８１は一端に第１鉤部８１１を有し、第１回動軸を中心に回動可能な部材である。第１フック部８１は第１鉤部８１１が筐体２の上面２１の第１位置から上方に突出した第１回動位置（図４及び図５の状態）と第１鉤部８１１が画像形成装置５と係合する第２回動位置（図７の状態）の間で回動可能である。
【００２５】
本実施形態において第１フック部８１は、上端が直角に折れ曲がって第１鉤部８１１が形成された棒状部材であり、その棒状部分の途中部に左右方向に貫通して固定される第１回動軸部８７を中心に回動する。そして、第１回動位置では、第１フック部８１の棒状部分が鉛直方向に位置し、第１鉤部８１１が前方へ水平に延びた状態である。一方、第２回動位置では、第１フック部８１が第１回動位置から前方へ９０度未満の角度で倒れ、第１鉤部８１１の先端が画像形成装置５の穴６２の内側の縁部６２ａに係合した状態である。
【００２６】
（第１ペダル部）
第１ペダル部８２は、画像形成装置５が当接する第１当接面８２ａを有する。第１ペダル部８２は、第１当接面８２ａに重力方向に加わる力によって、第１フック部８１が第１回動位置から第２回動位置に向かう方向に、第１フック部８１と一体に回動する。第１当接面８２ａは、第１鉤部８１１が第１回動位置から第２回動位置に向けて、第１回動位置にある第１フック部８１から９０度未満の角度分、傾いた方向に、第１回動軸から延出することが好ましい。なお、第１ペダル部８２は第１フック部８１から延出してもよい。また、第１ペダル部８２と第１フック部８１とは樹脂等の一体成型品であってもよい。
【００２７】
本実施形態において第１ペダル部８２は、上面が第１当接面８２ａである矩形の板状部材である。第１ペダル部８２は、第１フック部８１の右側へ突出した第１回動軸部８７に固定され、第１回動軸部８７から前側へ斜め上方に延びている。第１回動軸部８７は第１フック部８１に固定されているので、第１ペダル部８２は第１フック部８１と一体に回動する。第１ペダル部８２は、上方から画像形成装置５の脚部６３が第１当接面８２ａに当接して画像形成装置５の重量によって第１回動軸部８７を回動中心として下方向に押し下げられる。
【００２８】
（第１付勢部）
第１付勢部８３は、第１ペダル部８１を第１フック部８１が第２回動位置から第１回動位置へ向かって回動する方向に付勢する部材である。第１付勢部８３としては圧縮ばね等のばねやゴム等の弾性体を用いることができる。第１付勢部８３の一端は第１ペダル部８２に、他端は筐体２に支持される。第１付勢部８３は、第１フック部８１が第２回動位置にいる際、第１当接面８２ａが水平方向となるように付勢することが好ましい。
【００２９】
本実施形態において第１付勢部８３は、圧縮コイルばねであり、その上端が第１ペダル部８２の底面に係止され、下端が筐体２の上面２１付近であって第１ペダル部８２の底面に対向する位置に設けられた台状の支持部２２に係止されている。増設ユニット１上に画像形成装置５が固定されている状態では、第１ペダル部８２に掛かる画像形成装置５の重量を第１付勢部８３の付勢力によって支持する。このとき、第１ペダル部８２は、第１当接面８２ａが水平になる位置で画像形成装置５を支持する（図７参照）。
【００３０】
（第２フック部）
第２フック部８４は一端に第２鉤部８４１を有し、第１回動軸と同一軸である第２回動軸を中心に回動可能な部材である。第２フック部８４は第２鉤部８４１が筐体２の上面２１の第１位置と異なる第２位置から上方に突出した第３回動位置（図４及び図５の状態）と第２鉤部８４１が画像形成装置５と係合する第４回動位置（図７の状態）の間で回動可能である。
【００３１】
本実施形態において第２フック部８４は、第１フック部８１と同部材、すなわち上端が直角に折れ曲がって第２鉤部８４１が形成された棒状部材であり、その棒状部分の途中部に左右方向に貫通して固定される第１回動軸部８７を中心に回動する。そして、第３回動位置では、第１回動位置と同様に、第２フック部８４の棒状部分が鉛直方向に位置し、第２鉤部８４１が前方へ水平に延びた状態である。一方、第４回動位置では、第２回動位置と同様に、第２フック部８４が第３回動位置から前方へ９０度未満の角度で倒れ、第２鉤部８４１の先端が画像形成装置５の穴６２の内側の縁部６２ａに係合した状態である。
【００３２】
（第２ペダル部）
第２ペダル部８５は、画像形成装置５が当接する第２当接面８５ａを有する。第２ペダル部８５は、第２当接面８５ａに重力方向に加わる力によって、第２フック部８４が第３回動位置から第４回動位置に向かう方向に、第２フック部８４と一体に回動する。第２当接面８５ａは、第２鉤部８４１が第３回動位置から第４回動位置に向けて、第３回動位置にある第２フック部８４から９０度未満の角度分、傾いた方向に、第２回動軸から延出することが好ましい。なお、第２ペダル部８５は第２フック部８４から延出してもよい。また、第２ペダル部８５と第２フック部８４とは樹脂等の一体成型品であってもよい。
【００３３】
本実施形態において第２ペダル部８５は、第１ペダル部８２と同部材、すなわち上面が第２当接面８５ａである矩形の板状部材である。第２ペダル部８５は、第２フック部８４の左側へ突出した第１回動軸部８７に固定され、第１回動軸部８７から前側へ第１ペダル部８２と同角度で斜め上方に延びている。第１回動軸部８７は第２フック部８４に固定されているので、第２ペダル部８５は第２フック部８４と一体に回動する。第２ペダル部８５は、上方から画像形成装置５の脚部６３が第２当接面８５ａに当接して画像形成装置５の重量によって第１回動軸部８７を回動中心として下方向に押し下げられる。
【００３４】
（第２付勢部）
第２付勢部８６は、第２ペダル部８５を第２フック部８４が第４回動位置から第３回動位置へ向かって回動する方向に付勢する部材である。第２付勢部８６としては圧縮ばね等のばねやゴム等の弾性体を用いることができる。第２付勢部８６の一端は第２ペダル部８５に、他端は筐体２に支持される。第２付勢部８６は、第２フック部８４が第４回動位置にいる際、第２当接面８５ａが水平方向となるように付勢することが好ましい。
【００３５】
本実施形態において第２付勢部８６は、第１付勢部材８３と同部材、すなわち圧縮コイルばねであり、その上端が第２ペダル部８５の底面に係止され、下端が筐体２の上面２１付近であって第２ペダル部８５の底面に対向する位置に設けられた台状の支持部２３に係止されている。増設ユニット１上に画像形成装置５が固定されている状態では、第２ペダル部８５に掛かる画像形成装置５の重量を第２付勢部８６の付勢力によって支持する。このとき、第２ペダル部８５は、第２当接面８５ａが水平になる位置で画像形成装置５を支持する（図７参照）。
【００３６】
（第１回動軸部）
第１回動軸部８７は、第１フック部８１と第２フック部８４とを連結し、第１フック部８１の回動に連動して第２フック部８４を回動、又は、第２フック部８４の回動に連動して第１フック部８１を回動させる。具体的には、第１回動軸部８７は、第１フック部８１における第１回動軸の中心と第２フック部８４における第１回動軸の中心とを、第１回動軸に沿った第１方向に延出して連結する。また、第１回動軸部８７は、第１フック部８１と第２フック部８４とを一体に回動方向に回動可能に筐体２に支持される。
【００３７】
本実施形態において第１回動軸部８７は、第１回動軸及び第２回動軸上に配置され、第１フック部８１の途中部の右側から左方向へ水平に延びて第１フック部８１及び第２フック部８４を貫通し、第２フック部８４の左側まで達する棒状部材である。第１回動軸部８７は、筐体２の上面２１付近であって第１フック部８１の左側に設けられた支持部２４と、筐体２の上面２１付近であって第２フック部８４の右側に設けられた支持部２５とで回動可能に支持されている。第１回動軸部８７には、第１フック部８１と第１ペダル部８２と第２フック部８４と第２ペダル部８５とが固定されており、これらは一体に回動する。
【００３８】
また増設ユニット１側の着脱機構８は、第３フック部８８と、第３ペダル部８９と、第３付勢部９０と、第２回動軸部９１と、第４フック部９２と、第４ペダル部９３と、第４付勢部９４と、第３回動軸部９５と、連結部である第１リンク部材９６と、連結部である第２リンク部材９７とを備えている。
【００３９】
（第３フック部）
第３フック部８８は一端に第３鉤部８８１を有し、第１回動軸に対して平行である第３回動軸を中心に回動可能な部材である。第３フック部８８は第３鉤部８８１が筐体２の上面２１の第１位置及び第２位置と異なる第３位置から上方に突出した第５回動位置（図４及び図５の状態）と第３鉤部８８１が画像形成装置５と係合する第６回動位置（図７の状態）の間で回動可能である。
【００４０】
本実施形態において第３フック部８８は、第１フック部８１と同部材、すなわち上端が直角に折れ曲がって第３鉤部８８１が形成された棒状部材であり、その棒状部分の途中部に左右方向に貫通して固定される第２回動軸部９１を中心に回動する。そして、第５回動位置では、第１回動位置と同様に、第３フック部８８の棒状部分が鉛直方向に位置し、第３鉤部８８１が前方へ水平に延びた状態である。一方、第６回動位置では、第２回動位置と同様に、第３フック部８８が第５回動位置から前方へ９０度未満の角度で倒れ、第３鉤部８８１の先端が画像形成装置５の穴６２の内側の縁部６２ａに係合した状態である。
【００４１】
（第３ペダル部）
第３ペダル部８９は、画像形成装置５が当接する第３当接面８９ａを有する。第３ペダル部８９は、第３当接面８９ａに重力方向に加わる力によって、第３フック部８８が第５回動位置から第６回動位置に向かう方向に、第３フック部８８と一体に回動する。第３当接面８９ａは、第３鉤部８８１が第５回動位置から第６回動位置に向けて、第５回動位置にある第３フック部８８から９０度未満の角度分、傾いた方向に、第３回動軸から延出することが好ましい。なお、第３ペダル部８９は第３フック部８８から延出してもよい。また、第３ペダル部８９と第３フック部８８とは樹脂等の一体成型品であってもよい。
【００４２】
本実施形態において第３ペダル部８９は、第１ペダル部８２と同部材、すなわち上面が第３当接面８９ａである矩形の板状部材である。第３ペダル部８９は、第３フック部８８の右側へ突出した第２回動軸部９１に固定され、第２回動軸部９１から前側へ第１ペダル部８２と同角度で斜め上方に延びている。第２回動軸部９１は第３フック部８８に固定されているので、第３ペダル部８９は第３フック部８８と一体に回動する。第３ペダル部８９は、上方から画像形成装置５の脚部６３が第３当接面８９ａに当接して画像形成装置５の重量によって第２回動軸部９１を回動中心として下方向に押し下げられる。
【００４３】
（第３付勢部）
第３付勢部９０は、第３ペダル部８９を第３フック部８８が第６回動位置から第５回動位置へ向かって回動する方向に付勢する部材である。第３付勢部９０としては圧縮ばね等のばねやゴム等の弾性体を用いることができる。第３付勢部９０の一端は第３ペダル部８９に、他端は筐体２に支持される。第３付勢部９０は、第３フック部８８が第６回動位置にいる際、第３当接面８９ａが水平方向となるように付勢することが好ましい。
【００４４】
本実施形態において第３付勢部９０は、第１付勢部材８３と同部材、すなわち圧縮コイルばねであり、その上端が第３ペダル部８９の底面に係止され、下端が筐体２の上面２１付近であって第３ペダル部８９の底面に対向する位置に設けられた台状の支持部２６に係止されている。増設ユニット１上に画像形成装置５が固定されている状態では、第３ペダル部８９に掛かる画像形成装置５の重量を第３付勢部９０の付勢力によって支持する。このとき、第３ペダル部８９は、第３当接面８９ａが水平になる位置で画像形成装置５を支持する（図７参照）。
【００４５】
（第２回動軸部）
第２回動軸部９１は、第３回動軸に沿って第３フック部８８に設けられる部材であり、筐体２に支持される。
【００４６】
本実施形態において第２回動軸部９１は、第３回動軸上に配置され、第３フック部８８の途中部を左右方向に水平に貫通する棒状部材である。第２回動軸部９１は、筐体２の上面２１付近であって第３フック部８８の左側に設けられた支持部２７で回動可能に支持されている。第２回動軸部９１には、第３フック部８８と第３ペダル部８９とが固定されており、これらは一体に回動する。なお、第３ペダル部８９が第３フック部８８から延出する形態の場合、第２回動軸部９１は第３フック部８８を回動可能に支持するようにしてもよい。
【００４７】
（第４フック部）
第４フック部９２は一端に第４鉤部９２１を有し、第３回動軸を中心に回動可能な部材である。すなわち、第４フック部９２は第３フック部８８と同軸上で回動する。第４フック部９２は第４鉤部９２１が筐体２の上面２１の第１位置、第２位置及び第３位置と異なる第４位置から上方に突出した第７回動位置（図４及び図５の状態）と第４鉤部９２１が画像形成装置５と係合する第８回動位置（図７の状態）の間で回動可能である。
【００４８】
本実施形態において第４フック部９２は、第１フック部８１と同部材、すなわち上端が直角に折れ曲がって第４鉤部９２１が形成された棒状部材であり、その棒状部分の途中部に左右方向に貫通して固定される第３回動軸部９５を中心に回動する。そして、第７回動位置では、第１回動位置と同様に、第４フック部９２の棒状部分が鉛直方向に位置し、第４鉤部９２１が前方へ水平に延びた状態である。一方、第８回動位置では、第２回動位置と同様に、第４フック部９２が第７回動位置から前方へ９０度未満の角度で倒れ、第４鉤部９２１の先端が画像形成装置５の穴６２の内側の縁部６２ａに係合した状態である。
【００４９】
（第４ペダル部）
第４ペダル部９３は、画像形成装置５が当接する第４当接面９３ａを有する。第４ペダル部９３は、第４当接面９３ａに重力方向に加わる力によって、第４フック部９２が第７回動位置から第８回動位置に向かう方向に、第４フック部９２と一体に回動する。第４当接面９３ａは、第４鉤部９２１が第７回動位置から第８回動位置に向けて、第７回動位置にある第４フック部９２から９０度未満の角度分、傾いた方向に、第３回動軸から延出することが好ましい。なお、第４ペダル部９３は第４フック部９２から延出してもよい。また、第４ペダル部９３と第４フック部９２とは樹脂等の一体成型品であってもよい。
【００５０】
本実施形態において第４ペダル部９３は、第１ペダル部８２と同部材、すなわち上面が第４当接面９３ａである矩形の板状部材である。第４ペダル部９３は、第４フック部９２の左側へ突出した第３回動軸部９５に固定され、第３回動軸部９５から前側へ第１ペダル部８２と同角度で斜め上方に延びている。第３回動軸部９５は第４フック部９２に固定されているので、第４ペダル部９３は第４フック部９２と一体に回動する。第４ペダル部９３は、上方から画像形成装置５の脚部６３が第４当接面９３ａに当接して画像形成装置５の重量によって第３回動軸部９５を回動中心として下方向に押し下げられる。
【００５１】
（第４付勢部）
第４付勢部９４は、第４ペダル部９３を第４フック部９２が第８回動位置から第７回動位置へ向かって回動する方向に付勢する部材である。第４付勢部９４としては圧縮ばね等のばねやゴム等の弾性体を用いることができる。第４付勢部９４の一端は第４ペダル部９３に、他端は筐体２に支持される。第４付勢部９４は、第４フック部９２が第８回動位置にいる際、第４当接面９３ａが水平方向となるように付勢することが好ましい。
【００５２】
本実施形態において第４付勢部９４は、第１付勢部材８３と同部材、すなわち圧縮コイルばねであり、その上端が第４ペダル部９３の底面に係止され、下端が筐体２の上面２１付近であって第４ペダル部９３の底面に対向する位置に設けられた台状の支持部２８に係止されている。増設ユニット１上に画像形成装置５が固定されている状態では、第４ペダル部９３に掛かる画像形成装置５の重量を第４付勢部９４の付勢力によって支持する。このとき、第４ペダル部９３は、第４当接面９３ａが水平になる位置で画像形成装置５を支持する（図７参照）。
【００５３】
（第３回動軸部）
第３回動軸部９５は、第３回動軸に沿って第４フック部９２に設けられる部材であり、筐体２に支持される。
【００５４】
本実施形態において第３回動軸部９５は、第３回動軸上に配置され、第４フック部９２の途中部を左右方向に水平に貫通する棒状部材である。第３回動軸部９５は、筐体２の上面２１付近であって第４フック部９２の右側に設けられた支持部２９で回動可能に支持されている。第３回動軸部９５には、第４フック部９２と第４ペダル部９３とが固定されており、これらは一体に回動する。なお、第４ペダル部９３が第４フック部９２から延出する形態の場合、第３回動軸部９５は第４フック部９２を回動可能に支持するようにしてもよい。
【００５５】
（第１リンク部材）
第１リンク部材９６は、第１フック部８１の他端と第３フック部８８の他端とを連結し、第１フック部８１の回動に連動して第３フック部８８を回動、又は、第３フック部８８の回動に連動して第１フック部８１を回動させる。例えば、第１リンク部材９６は、第１回動軸と第３回動軸に対して、それぞれ垂直な方向に延出して第１フック部８１の他端と第３フック部８８の他端とを連結することができる。
【００５６】
本実施形態において第１リンク部材９６は、前後方向に水平に延びる棒状部材であり、その前端が第１フック部８１の下端に回動可能に連結され、後端が第３フック部８８の下端に回動可能に連結されている。なお、第１リンク部材９６の形状には特に限定はなく、第１フック部８１及び第３フック部８８の配置に応じて連結に適した形状とすることができる。
【００５７】
（第２リンク部材）
第２リンク部材９７は、第２フック部８４の他端と第４フック部９２の他端とを連結し、第２フック部８４の回動に連動して第４フック部９２を回動、又は、第第４フック部９２の回動に連動して第２フック部８４を回動させる。例えば、第２リンク部材９７は、第１回動軸と第３回動軸に対して、それぞれ垂直な方向に延出して第２フック部８４の他端と第４フック部９２の他端とを連結することができる。
【００５８】
本実施形態において第２リンク部材９７は、第１リンク部材９６と同部材、すなわち前後方向に水平に延びる棒状部材であり、その前端が第２フック部８４の下端に回動可能に連結され、後端が第４フック部９２の下端に回動可能に連結されている。なお、第２リンク部材９７の形状には特に限定はなく、第２フック部８４及び第４フック部９２の配置に応じて連結に適した形状とすることができる。
【００５９】
［着脱機構の動作］
次に、増設ユニット１の上面２１に画像形成装置５を固定するときの着脱機構８の動作について図５から図７を参照して説明する。
【００６０】
まず、増設ユニット１の上面２１の所定位置に対して画像形成装置５を真上から下ろしていくと、図５に示した状態となる。この状態では、第１フック部８１が第１回動位置、第２フック部８４が第３回動位置、第３フック部８８が第５回動位置、第４フック部９２が第７回動位置にある。そして、画像形成装置５の底面６１が増設ユニット１の上面２１に対向し、各穴６２が第１鉤部８１１から第４鉤部９２１に対向し、各脚部６３が第１ペダル部８２から第４ペダル部９３に対向している。
【００６１】
図５の状態からさらに画像形成装置５を下ろしていくと、図６に示した状態となる。この状態では、各穴６２に第１鉤部８１１から第４鉤部９２１が挿入され、各脚部６３が第１当接面８２ａから第４当接面９３ａの先端付近に当接し始めている。
【００６２】
図６の状態からさらに画像形成装置５を下ろしていくと、画像形成装置５の重量によって各脚部６３が第１当接面８２ａから第４当接面９３ａを押し下げ、第１ペダル部８２から第４ペダル部９３は第１付勢部８３から第４付勢部９４の付勢力に抗して第１回動軸部８７から第３回動軸部９５を回動中心として下方向に回動する。このとき、第１フック部８１は第１回動位置から第２回動位置へ向かって、第２フック部８４は第３回動位置から第４回動位置へ向かって、第３フック部８８は第５回動位置から第６回動位置へ向かって、第４フック部９２は第７回動位置から第８回動位置へ向かって、それぞれ回動することで前方へ倒れる。また、第１リンク部材９６及び第２リンク部材９７も各フック部８１、８４、８８、９２に連動して後方向へ移動する。
【００６３】
そして、図７に示した状態まで画像形成装置５を下ろすと、画像形成装置５は着脱機構８によって増設ユニット１に固定された状態となり、増設ユニット１上への画像形成装置５の固定が完了する。この状態では、第１フック部８１が第２回動位置、第２フック部８４が第４回動位置、第３フック部８８が第６回動位置、第４フック部９２が第８回動位置にある。そして、第１鉤部８１１から第４鉤部９２１が各穴６２の内側の縁部６２ａに係合している。
【００６４】
また、画像形成装置５が増設ユニット１に固定された状態では、第１当接面８２ａから第４当接面９３ａは水平となる位置まで押し下げられ、この位置で画像形成装置５の重量の大部分は第１付勢部８３から第４付勢部９４の付勢力によって支えられている。この状態で増設ユニット１の上面２１と画像形成装置５の底面６１との間には隙間があり、画像形成装置５の重量の大部分は各脚部６３と各ペダル部８２、８５、８９、９３との接触部分で増設ユニット１に支持されている。すなわち、画像形成装置５の重量の大部分は第１付勢部８３から第４付勢部９４の付勢力によって支持され、画像形成装置５は第１鉤部８１１から第４鉤部９２１によって確実に増設ユニット１に固定される。
【００６５】
このように、画像形成装置５が増設ユニット１に固定された状態において増設ユニット１の上面２１と画像形成装置５の底面６１との間に隙間が形成されるためには、以下のような構成とすればよい。すなわち、図７に示すように画像形成装置５が増設ユニット１に固定された状態において、各脚部６３の上下方向の長さＬ１が、水平な各当接面の位置と増設ユニット１の上面２１の位置との距離Ｌ２以上であればよい。
【００６６】
ここで、増設ユニット１上に画像形成装置５が固定された状態において、画像形成装置５に横からの外力が加わった状況を想定する。例えば、図７の矢印Ｆ１で示すように、画像形成装置５の前面の右端付近に後方向の外力が加わった場合、外力が加わった位置に近い第１ペダル部８２に乗っている脚部６３が浮き上がろうとする。このとき、他の３つの脚部６３は各ペダル部８５、８９、９３を押し下げたままである。
【００６７】
よって、第２ペダル部８５が押し下げられたまま回動しないことによって第１回動軸部８７が回動せず、第１ペダル部８２も回動しない。したがって、第１フック部８１も回動せず、第１鉤部８１１は穴６２の縁部６２ａに係合したままである。
【００６８】
また、第３ペダル部８９が押し下げられたまま回動しないことによって第３フック部８８が回動せず、第１リンク部材９６が移動しない。したがって、第１フック部８１も回動せず、第１鉤部８１１は穴６２の縁部６２ａに係合したままである。
【００６９】
また、第４ペダル部９３が押し下げられたまま回動しないことによって第４フック部９２が回動せず、第２リンク部材９７が移動しない。したがって、第２フック部８４が回動しないので、第１回動軸部８７が回動せず、第１フック部８１も回動しない。よって、第１鉤部８１１は穴６２の縁部６２ａに係合したままである。
【００７０】
このように、第１ペダル部８２に乗っている脚部６３が浮き上がろうとしても、第１鉤部８１１の係合が外れることがないので、画像形成装置５は斜めに浮き上がらない。
【００７１】
また、第１フック部８１から第４フック部９２が第１回動軸部８７と第１リンク部材９６と第２リンク部材９７とによって連結されているため、少なくとも１つの脚部６３がペダル部を押し下げていれば全てのフック部８１、８４、８８、９２が回動しない。よって、全ての鉤部８１１、８４１、８８１、９２１は係合状態を維持する。
【００７２】
このことから、画像形成装置５の３つの脚部６３が浮き上がろうとするような外力が加わったとしても、全ての鉤部８１１、８４１、８８１、９２１が係合状態を維持するため、画像形成装置５は斜めに浮き上がらない。つまり、着脱機構８によれば、横からの外力によって画像形成装置５が斜めに浮き上がらないように増設ユニット１上に固定することができる。
【００７３】
次に、増設ユニット１の上面２１に固定された画像形成装置５を増設ユニット１から分離するときの着脱機構８の動作について説明する。
【００７４】
図７の矢印Ｆ２で示すように、画像形成装置５が増設ユニット１の上面に固定された状態から画像形成装置５を真上に持ち上げると、４つの脚部６３が同時に上昇するので、第１ペダル部８２から第４ペダル部９３は第１付勢部８３から第４付勢部９４の付勢力によって同時に上方向へ回動する。
【００７５】
このとき、第１フック部８１は第２回動位置から第１回動位置へ向かって、第２フック部８４は第４回動位置から第３回動位置へ向かって、第３フック部８８は第６回動位置から第５回動位置へ向かって、第４フック部９２は第８回動位置から第７回動位置へ向かって、それぞれ回動する。また、第１リンク部材９６及び第２リンク部材９７も各フック部８１、８４、８８、９２に連動して前方向へ移動する。
【００７６】
そして、図６に示した状態まで画像形成装置５を持ち上げると、第１フック部８１は第１回動位置、第２フック部８４は第３回動位置、第３フック部８８は第５回動位置、第４フック部９２は第７回動位置へそれぞれ到達する。この状態からさらに画像形成装置５を持ち上げると、第１フック部８１から第４フック部９２が各穴６２から抜け、図５に示すように画像形成装置５と増設ユニット１の分離が完了する。
【００７７】
このような増設ユニット１と画像形成装置５によれば、画像形成装置５を真上から増設ユニット１に載置する簡単な作業で、画像形成装置５を増設ユニット１に固定することができる。また、逆に画像形成装置５を真上に持ち上げる簡単な作業で、画像形成装置５を増設ユニット１から分離することができる。
【００７８】
［実施形態の効果］
上記の実施形態である増設ユニット１は、筐体２を有し、画像形成装置５が筐体２の上面２１に固定され、画像形成装置５に供給する記録紙を格納する増設ユニット１である。増設ユニット１は、第１回動軸を中心に回動可能である第１鉤部８１１を一端に有する第１フック部８１であって、第１フック部８１は第１鉤部８１１が筐体２の上面２１の第１位置から上方に突出した第１回動位置と第１鉤部８１１が画像形成装置５と係合する第２回動位置の間で回動可能な第１フック部８１を備える。また増設ユニット１は、第１回動軸に対して平行又は同一軸である第２回動軸を中心に回動可能である第２鉤部８４１を一端に有する第２フック部８４であって、第２フック部８４は第２鉤部８４１が筐体２の上面２１の第１位置と異なる第２位置から上方に突出した第３回動位置と第２鉤部８４１が画像形成装置５と係合する第４回動位置の間で回動可能な第２フック部８４を備える。また増設ユニット１は、第１フック部８１と第２フック部８４とを連結し、第１フック部８１の回動に連動して第２フック部８４を回動、又は、第２フック部８４の回動に連動して第１フック部８１を回動させる、連結部を備える。また増設ユニット１は、画像形成装置５が当接する第１当接面８２ａを有し、第１当接面８２ａに重力方向に加わる力によって第１フック部８１が第１回動位置から第２回動位置に向かう方向に、第１フック部８１と一体に回動する第１ペダル部８２を備える。また増設ユニット１は、画像形成装置５が当接する第２当接面８５ａを有し、第２当接面８５ａに重力方向に加わる力によって第２フック部８４が第３回動位置から第４回動位置に向かう方向に、第２フック部８４と一体に回動する第２ペダル部８５を備える。また増設ユニット１は、第１ペダル部８２を第２回動位置から第１回動位置へ向かって付勢する第１付勢部８３と、第２ペダル部８５を第４回動位置から第３回動位置へ向かって付勢する第２付勢部８６とを備える。
【００７９】
この構成によれば、画像形成装置５を増設ユニット１の上面に対して上げ下げするだけで各フック部８１、８４が回動するので、増設ユニット１に対して画像形成装置５を簡単に着脱できる。また、画像形成装置５に横からの外力が加わって画像形成装置５が斜めに浮き上がろうとしても、何れかのペダル部８２、８５が押し下げられたままであれば、連結部によって各フック部８１、８４が連結されているので、全ての鉤部８１１、８４１は係合状態を維持する。よって、画像形成装置５は斜めに浮き上がらない。このように、横からの外力によって画像形成装置５が斜めに浮き上がらないように増設ユニット１上に固定される。
【００８０】
また上記の実施形態である増設ユニット１によれば、第１回動軸と第２回動軸とが同一軸であって、連結部は、第１フック部８１における第１回動軸の中心と第２フック部８４における第１回動軸の中心とを、第１回動軸に沿った第１方向に延出して連結し、第１フック部８１と第２フック部８４とを一体に回動方向に回動可能に筐体２に支持される第１回動軸部８７である。
【００８１】
この構成によれば、同一軸で回動する第１フック部と第２フック部とを第１回動軸部８７を用いて一体に回動可能に連結することができる。
【００８２】
また、上記の実施形態である増設ユニット１において、第２回動軸は第１回動軸に対して平行であって、連結部は、第１フック部８１の他端と第２フック部８４の他端とを連結するリンク部材としてもよい。
【００８３】
この構成によれば、第１フック部８１の回転軸と第２フック部８４の回転軸とが平行である場合に、第１リンク部材９６のように、第１フック部８１と第２フック部８４とを連動して回動可能に連結することができる。
【００８４】
また上記の実施形態である増設ユニット１によれば、第１回動軸と第２回動軸は、同一軸であって、連結部は、第１回動軸部８７と第１リンク部材９６と第２リンク部材９７とを有する。また、第１回動軸部８７は、第１フック部８１における第１回動軸の中心と第２フック部８４における第１回動軸の中心とを、第１回動軸に沿った第１方向に延出して連結し、第１フック部８１と第２フック部８４とを一体に回動方向に回動可能に筐体２に支持される。更に、増設ユニット１は、第１回動軸に対して平行である第３回動軸を中心に回動可能である第３鉤部８８１を一端に有する第３フック部８８であって、第３フック部８８は第３鉤部８８１が筐体２の上面２１の第１位置及び第２位置と異なる第３位置から上方に突出した第５回動位置と第３鉤部８８１が画像形成装置５と係合する第６回動位置の間で回動可能な第３フック部８８を備える。また増設ユニット１は、画像形成装置５が当接する第３当接面８９ａを有し、第３当接面８９ａに重力方向に加わる力によって第３フック部８８が第５回動位置から第６回動位置に向かう方向に、第３フック部８８と一体に回動する第３ペダル部８９を備える。また増設ユニット１は、第３ペダル部８９を第６回動位置から第５回動位置へ向かって付勢する第３付勢部９０を備える。また増設ユニット１は、第３回動軸を中心に回動可能である第４鉤部９２１を一端に有する第４フック部９２であって、第４フック部９２は第４鉤部９２１が筐体２の上面２１の第１位置、第２位置及び第３位置と異なる第４位置から上方に突出した第７回動位置と第４鉤部９２１が画像形成装置５と係合する第８回動位置の間で回動可能な第４フック部９２を備える。また増設ユニット１は、画像形成装置５が当接する第４当接面９３ａを有し、第４当接面９３ａに重力方向に加わる力によって第４フック部９２が第７回動位置から第８回動位置に向かう方向に、第４フック部９２と一体に回動する第４ペダル部９３を備える。また増設ユニット１は、第４ペダル部９３を第８回動位置から第７回動位置へ向かって付勢する第４付勢部９４を備える。そして、第１リンク部材９６は、第１フック部８１の他端と第３フック部８８の他端とを連結し、第１フック部８１の回動に連動して第３フック部８８を回動、又は、第３フック部８８の回動に連動して第１フック部８１を回動させる。また、第２リンク部材９７は、第２フック部８４の他端と第４フック部９２の他端とを連結し、第２フック部８４の回動に連動して第４フック部９２を回動、又は、第４フック部９２の回動に連動して第２フック部８４を回動させる。
【００８５】
この構成によれば、連結部である第１回動軸部８７と第１リンク部材９６と第２リンク部材９７とによって、４つのフック部８１、８４、８８、９２を連結することで、各フック部が連動して回動する。したがって、画像形成装置５に横からの外力が加わって画像形成装置５が斜めに浮き上がろうとしても、何れかのペダル部８２、８５、８９、９３が押し下げられたままであれば、連結部によって各フック部８１、８４、８８、９２が連結されているので、全ての鉤部８１１、８４１、８８１、９２１は係合状態を維持する。よって、画像形成装置５は斜めに浮き上がらない。このように、横からの外力によって画像形成装置５が斜めに浮き上がらないように増設ユニット１上に固定される。
【００８６】
また上記の実施形態である増設ユニット１によれば、第１リンク部材９６は、第１回動軸と第３回動軸に対して、それぞれ垂直な方向に延出して第１フック部８１の他端と第３フック部８８の他端とを連結し、第２リンク部材９７は、第１回動軸と第３回動軸に対して、それぞれ垂直な方向に延出して第２フック部８４の他端と第４フック部９２の他端とを連結している。
【００８７】
この構成によれば、４つのフック部８１、８４、８８、９２が長方形の頂点にそれぞれ配置されるので、４つのフック部８１、８４、８８、９２を増設ユニット１の上面の四隅にそれぞれ配置することができ、画像形成装置５を安定して固定することができる。
【００８８】
また上記の実施形態である増設ユニット１によれば、各当接面８２ａ、８５ａ、８９ａ、９３ａは、各鉤部８１１、８４１、８８１、９２１が筐体２の上面２１から上方に突出した各回動位置から各鉤部８１１、８４１、８８１、９２１が画像形成装置５と係合する各回動位置に向けて、各鉤部８１１、８４１、８８１、９２１が筐体２の上面２１から上方に突出した各回動位置にある各フック部８１、８４、８８、９２から９０度未満の角度分、傾いた方向に、各回動軸から延出している。
【００８９】
この構成によれば、画像形成装置５を増設ユニット１に固定する過程で各当接面８２ａ、８５ａ、８９ａ、９３ａは水平方向に近づくように回動するので、画像形成装置５によって各当接面８２ａ、８５ａ、８９ａ、９３ａは安定して押し下げられる。
【００９０】
また上記の実施形態である増設ユニット１によれば、各付勢部８３、８６、９０、９４は、各フック部８１、８４、８８、９２の各鉤部８１１、８４１、８８１、９２１が画像形成装置５と係合する各回動位置にいる際、各ペダル部８２、８５、８９、９３の各当接面８２ａ、８５ａ、８９ａ、９３ａが水平方向となるように付勢している。
【００９１】
この構成によれば、画像形成装置５が増設ユニット１に固定されている状態において、各当接面８２ａ、８５ａ、８９ａ、９３ａが水平となることで、画像形成装置５を安定して支持することができる。
【００９２】
また上記の実施形態である増設ユニット１において、各ペダル部８２、８５、８９、９３と各フック部８１、８４、８８、９２とを一体成型品としてもよい。
【００９３】
この構成によれば、部品点数が減少するのでコストを削減することができる。
【００９４】
また上記の実施形態である画像形成装置５によれば、画像形成装置５の底面に設けられた穴６２に、各フック部８１、８４、８８、９２の一端がそれぞれ挿入可能であって、画像形成装置５の底面６１が各ペダル部８２、８５、８９、９３の各当接面８２ａ、８５ａ、８９ａ、９３ａとそれぞれ当接することによって画像形成装置５の荷重が重力方向に加わり、穴６２の内側に設けられた縁部６２ａに各鉤部８１１、８４１、８８１、９２１がそれぞれ係合している。
【００９５】
この構成によれば、増設ユニット１に固定するための画像形成装置５における構成を簡単にすることができる。
【００９６】
また上記の実施形態である画像形成装置５によれば、画像形成装置５の底面６１には穴６２が４つ設けられ、画像形成装置５の底面６１に設けられた各穴６２に、各フック部８１、８４、８８、９２の一端がそれぞれ挿入可能であって、画像形成装置５の底面６１が各ペダル部８２、８５、８９、９３の各当接面８２ａ、８５ａ、８９ａ、９３ａとそれぞれ当接することによって画像形成装置５の荷重が重力方向に加わり、各穴６２の内側に設けられた縁部６２ａに各鉤部８１１、８４１、８８１、９２１がそれぞれ係合している。
【００９７】
この構成によれば、増設ユニット１に固定するための画像形成装置５における構成を簡単にすることができるとともに、画像形成装置５を４つのフック部８１、８４、８８、９２に対応した構成とすることができる。
【００９８】
また上記の実施形態である画像形成装置５によれば、画像形成装置５の底面における穴６２の近傍であって各ペダル部８２、８５、８９、９３に当接する位置に、下方へ突出する脚部６３を備え、各当接面８２ａ、８５ａ、８９ａ、９３ａと脚部６３とが当接している。
【００９９】
この構成によれば、画像形成装置に一般的に設けられる脚部を用いて各ペダル部８２、８５、８９、９３を押し下げることができる。
【０１００】
また上記の実施形態である画像形成装置５によれば、脚部６３の上下方向の長さが、各フック部８１、８４、８８、９２の各鉤部８１１、８４１、８８１、９２１が画像形成装置５と係合する各回動位置にいる際、各ペダル部８２、８５、８９、９３の各当接面８２ａ、８５ａ、８９ａ、９３ａが水平方向となる各当接面８２ａ、８５ａ、８９ａ、９３ａの位置と、筐体２の上面２１の位置との距離以上である。
【０１０１】
この構成によれば、画像形成装置５が増設ユニット１に固定された状態において増設ユニット１の上面２１と画像形成装置５の底面６１との間に隙間が形成される。
【符号の説明】
【０１０２】
１          増設ユニット
２          筐体
５          画像形成装置
２１        上面
６１        底面
６２        穴
６２ａ      縁部
６３        脚部
８１        第１フック部
８２        第１ペダル部
８２ａ      第１当接面
８３        第１付勢部
８４        第２フック部
８５        第２ペダル部
８５ａ      第２当接面
８６        第２付勢部
８７        第１回動軸部（回動軸部）
８８        第３フック部
８９        第３ペダル部
８９ａ      第３当接面
９０        第３付勢部
９２        第４フック部
９３        第４ペダル部
９３ａ      第４当接面
９４        第４付勢部
９６        第１リンク部材
９７        第２リンク部材
８１１      第１鉤部
８４１      第２鉤部
８８１      第３鉤部
９２１      第４鉤部
【図１】
2018055032.tif 000003
【図２】
2018055032.tif 000004
【図３】
2018055032.tif 000005
【図４】
2018055032.tif 000006
【図５】
2018055032.tif 000007
【図６】
2018055032.tif 000008
【図７】
2018055032.tif 000009